(57)【要約】【課題】幅方向の発射角度調整を簡便に且つ安価に行う。【解決手段】ヨーク２１と、このヨーク２１に巻回されたコイル２２とからなる電磁部材を備えて、磁性体からなる遊技球３を電磁部材の励磁で発生させた磁力で発射する遊技球発射装置である。発射待機位置にある遊技球３に対して電磁部材が及ぼす磁気力のうち、発射方向と直交する方向の磁気バランスを調整する調整機構４を備える。遊技球に働く磁気力のバランスを変化させることで幅方向の発射方向角度を調整する。【選択図】図１
2005211523.tif 000002
【特許請求の範囲】
【請求項１】
ヨークと、このヨークに巻回されたコイルとからなる電磁部材を備えて、磁性体からなる遊技球を電磁部材の励磁で発生させた磁力で発射する遊技球発射装置において、発射待機位置にある遊技球に対して電磁部材が及ぼす磁気力のうち、発射方向と直交する方向の磁気バランスを調整する調整機構を備えていることを特徴とする遊技球発射装置。
【請求項２】
調整機構は、磁性体で形成されて発射方向と直交する方向の軸回りに回転自在であり且つ左右で断面形状が異なる調整体であることを特徴とする請求項１記載の遊技球発射装置。
【請求項３】
調整機構は、磁性体で形成されている調整体と、この調整体を発射方向と直交する方向に移動させる調整操作部とからなることを特徴とする請求項１記載の遊技球発射装置。
【請求項４】
調整操作部は調整体と螺合して軸回りの回転で調整体を移動させるねじ軸であることを特徴とする請求項３記載の遊技球発射装置。
【発明の詳細な説明】
【技術分野】
【０００１】
本発明は、遊技球、殊にパチンコ玉のような磁性体からなる遊技球を電磁力で発射する遊技球発射装置に関するものである。
【背景技術】
【０００２】
磁性体からなる遊技球に電磁力を直接作用させることで遊技球を発射する遊技球発射装置は、ハンマーを用いて遊技球を打ち出すものに比べ、磁束中心のばらつきのために、幅方向の発射角度にばらつきが生じやすい。このようなばらつきがあると、発射した遊技球が本来の到達点に至るまでに遊技装置の盤面に当たったり、盤面を覆うガラス板に当たったりしてしまう。
【０００３】
そして、構成部品の加工精度を厳しくして磁束中心のばらつきを少なくすることで対処するにはコスト的に問題がある上に、たとえ発射装置そのものにおける発射角度に全く誤差がなくとも、遊技装置への取付精度や遊技装置における発射装置の取り付け面の傾き等の関係で無調整で済ますことは無理である。
【０００４】
このために、特開平１０−９９４８６号公報（特許文献１）に示された遊技球発射装置では、発射する遊技球の初期位置を定める球係止部を発射方向と直交する方向に移動させることで幅方向の発射角度の調整を行うことができるようにしている。
【０００５】
しかし、上記の構造の発射角度調整では、球係止部を移動させるための調整構造を別途追加しなくてはならず、どうしてもコストが高くなってしまう。また、調整幅を大きくすると、磁束中心からの距離も変わってしまうために、遊技球の発射速度に影響を与えてしまうことになり、これを防ぐために磁束中心を中心とする円弧上を球係止部が移動するようにすると、調整構造が更に複雑となってコストが高くなる。
【特許文献１】特開平１０−９９４８６号公報
【発明の開示】
【発明が解決しようとする課題】
【０００６】
本発明は上記の従来の問題点に鑑みて発明したものであって、幅方向の発射角度調整を簡便に且つ安価に行うことができる遊技球発射装置を提供することを課題とするものである。
【課題を解決するための手段】
【０００７】
上記課題を解決するために本発明に係る遊技球発射装置は、ヨークと、このヨークに巻回されたコイルとからなる電磁部材を備えて、磁性体からなる遊技球を電磁部材の励磁で発生させた磁力で発射する遊技球発射装置において、発射待機位置にある遊技球に対して電磁部材が及ぼす磁気力のうち、発射方向と直交する方向の磁気バランスを調整する調整機構を備えていることに特徴を有している。遊技球に働く磁気力のバランスを変化させることで幅方向の発射方向角度を調整することができるようにしたものである。
【０００８】
上記調整機構には、磁性体で形成されて発射方向と直交する方向の軸回りに回転自在であり且つ左右で断面形状が異なる調整体を好適に用いることができる。この場合、調整体の追加のみで幅調整機能を持たせることができる。
【０００９】
また調整機構には、磁性体で形成されている調整体と、この調整体を発射方向と直交する方向に移動させる調整操作部とからなるものを用いてもよく、この時、調整操作部に調整体と螺合して軸回りの回転で調整体を移動させるねじ軸を用いるとよい。
【発明の効果】
【００１０】
本発明は、遊技球に作用する磁気力のうちの発射方向と直交する方向の磁気バランスを変化させて発射方向を調整するものであり、このために簡便且つ確実に調整が可能である上に、低コストで調整を行うことができる。
【発明を実施するための最良の形態】
【００１１】
以下、本発明を添付図面に示す実施形態に基いて説明すると、図示例の発射装置２は、図１１に示すように、盤面１０にガイド用のレール１１を配したパチンコ型遊技装置１において用いる磁性体からなる遊技球３を発射するもので、Ｃ字形で両端面が対向するヨーク２１の両端部に夫々コイル２２，２２を配した電磁部材で形成されたものとなっている。
【００１２】
ここにおけるヨーク２１は、図１に示すように、３本のねじ２９でベース板２０に固定されているとともに、ヨーク２１の対向している両端面のうちの一方に非磁性体からなるガイドレール２３が取り付けられており、ガイドレール２３の一端には球止め金具２４が付設されている。図示していない球供給装置からガイドレール２３上の球止め金具２４で規定される発射待機位置に１個ずつ供給される遊技球３は、パルス状の電流が供給されるコイル２２の励磁で生じる磁気力で図１中の右方に発射される。
【００１３】
そして、ヨーク２１の両端に夫々配されている一対のコイル２２，２２のうちの一方のコイルボビン２６におけるガイドレール２３側のフランジ部で且つ球止め金具２４寄りのところには、ヨーク２１の一端面の縁を横切る棒状の調整体４が配設されている。
【００１４】
断面円形状でコイルボビン２６には軸回りの回転が自在となるように取り付けられる上記の調整体４は、図３に示すように中央部に断面半円状の異形断面部４１，４２を備えるとともに、長手方向中央を境にしている上記両異形断面部４１，４２が１８０°ずれた位置に設けられたものである。また、一端面にはドライバー等の工具を利用して調整体４を軸回りに回転させるための係合部４０を備えている。
【００１５】
上記調整体４は、その軸方向がヨーク２１の両端面間を結ぶ方向と遊技球３の発射方向とに対して共に直交する方向である幅方向となっていることから、調整体４を軸回りに回転させた時、異形断面部４１，４２とヨーク２１との位置関係が図４に示すように変化するものであり、これ故に発射待機位置にある遊技球３に対して電磁部材が及ぼす磁気力のうち、発射方向と直交する幅方向の磁気バランスが変化する。このために図２(a)に示すように、遊技球３の幅方向の発射方向（発射角度）を調整することができる。なお、調整体４の一端の係合部４０は、パチンコ型遊技装置１の盤面１０の前面カバーを外せば露出するところに位置しているために、容易に調整作業を行うことができる。
【００１６】
異形断面部４１，４２として断面半円状に形成したものを示したが、この断面形状に限るものでなく、要は調整体４をその軸回りに回転させると、発射待機位置にある遊技球３に及び磁気力の幅方向バランスを変化させることができるようになっておればよい。
【００１７】
図５〜図８に他例を示す。これはヨーク２１の一端面の縁を横切る棒状の調整体４として長手方向中央を境に両端で形状が異なるものを用いるとともに、上記幅方向に調整体４をスライドさせることができるようにしたもので、調整体４をスライドさせるための調整操作部として調整ねじ４４をコイルボビン２６に取り付けている。軸回りの回転が自在となるようにコイルボビン２６に支持されている上記調整ねじ４４は、調整体４の一端側面のねじ溝部４５と螺合することから、調整ねじ４４を回転させれば調整体４がスライドするものであり、そしてこのスライドによって発射待機位置にある遊技球３に対して電磁部材が及ぼす磁気力のうち、発射方向と直交する幅方向の磁気バランスが変化することから、図８に示すように、調整体４の位置（イ、ロ）に応じて遊技球３の幅方向の発射方向（発射角度）を調整することができる。この場合、前述の異形断面部４１，４２を備えた調整体４によるバランス調整よりも、さらに大きなバランス変化をもたらすことが容易となる。
【００１８】
図９及び図１０はヨーク２１の一部を構成するスライド自在な調整体４のねじ孔に調整ねじ４４を螺合させることで、調整ねじ４４の操作で調整体を幅方向にスライドさせることができるようするとともに、このスライドで遊技球３の発射方向を幅方向において調整することができるようにしたものを示している。
【００１９】
調整体４そのものをねじ軸としてコイルボビン２６（もしくはヨーク２１）に設けたねじ孔に螺合させ、調整体４を軸回りに回転させれば調整体４が螺進退により軸方向に移動するようにしてもよい。
【図面の簡単な説明】
【００２０】
【図１】本発明の実施の形態の一例を示すもので、(a)は正面図、(b)は側面図である。
【図２】(a)は同上の部分平面図、(b)は同上のＡ−Ａ線断面図である。
【図３】同上の調整体を示すもので、(a)は正面図、(b)は左側面図、(c)はＣ−Ｃ線断面図、(d)はＤ−Ｄ線断面図である。
【図４】(a)(b)は図２中のＢ−Ｂ線の断面図である。
【図５】他例を示すもので、(a)は部分平面図、(b)は側面図である。
【図６】(a)は図５中のＦ−Ｆ線の断面図、(b)は図５中のＥ−Ｅ線断面図である。
【図７】同上の調整体を示すもので、(a)は平面図、(b)は正面図である。
【図８】同上の動作を示す部分平面図である。
【図９】更に他例を示す部分平面図である。
【図１０】同上の断面図である。
【図１１】パチンコ型遊技装置の概略正面図である。
【符号の説明】
【００２１】
１  遊技装置
２  発射装置
３  遊技球
４  調整体
【図１】
2005211523.tif 000003
【図２】
2005211523.tif 000004
【図３】
2005211523.tif 000005
【図４】
2005211523.tif 000006
【図５】
2005211523.tif 000007
【図６】
2005211523.tif 000008
【図７】
2005211523.tif 000009
【図８】
2005211523.tif 000010
【図９】
2005211523.tif 000011
【図１０】
2005211523.tif 000012
【図１１】
2005211523.tif 000013